(57)【要約】【課題】コードスキャナを用いて商品に付されたコードシンボルを素早く読み取る。【解決手段】コードスキャナ１０２では、コードシンボル１０７ａの読取部１０６と、読み取り結果を処理する制御部１１９と、デコード結果の送信部１２１とが、扁平のハウジング１０２ａに収納されている。ハウジング１０２ａは、人体正面の頚部から腰部の間への装着が可能で装着した状態で両腕の自由な動きを妨げない形状及び大きさで、一方の扁平面に読取窓１１４が形成されている。ハウジング１０２ａには、使用者１０５の上半身正面に装着するための装着部１１２も取り付けられており、装着されると読取部１０６を構成する光源１１３とエリア撮像センサ１１６とは使用者１０５の正面を向く。使用者１０５がコードスキャナ１０２を身体に装着したまま商品１０７表面のコードシンボル１０７ａを人体正面で視認すると、読取部１０６はそのコードシンボル１０７ａを読み取る。【選択図】図５
2010238258.tif 000002
【特許請求の範囲】
【請求項１】
相反する方向に第一扁平面及び第二扁平面を向けた扁平のハウジングと、
前記第一扁平面を人体正面と対面させた状態で前記ハウジングを使用者の人体に装着する装着部と、
前記第二扁平面に形成されている読取窓と、
前記読取窓の奥における当該読取窓の中央位置に配置されて当該読取窓に対面したコードシンボルを撮像するエリア撮像素子と、
前記エリア撮像素子を中心として放射状に配設され、前記読取窓に対面したコードシンボルを照明する複数の光源と、
前記ハウジングの内部に収納され、データを外部に送信する送信部と、
前記ハウジングの内部に収納され、前記光源を発光させながら前記エリア撮像素子が撮像したコードシンボルをデコードし、そのデコード結果を前記送信部に送信させる処理を実行する制御部と、
を備えるコードスキャナ。
【請求項２】
前記装着部は、前記ハウジングを前記使用者の着衣に吊り掛けるためのフック構造である、請求項１に記載のコードスキャナ。
【請求項３】
前記装着部は、前記ハウジングを前記使用者の人体に巻き付けるためのベルトである、請求項１に記載のコードスキャナ。
【請求項４】
前記装着部は、前記ハウジングを前記使用者の首からぶら下げるためのネックバンドである、請求項１に記載のコードスキャナ。
【請求項５】
前記送信部は、有線通信によってデータを外部に送信する請求項１ないし４のいずれか一項に記載のコードスキャナ。
【請求項６】
外部から給電される給電線を備える請求項１ないし請求項５のいずれか一項に記載のコードスキャナ。
【発明の詳細な説明】
【技術分野】
【０００１】
本発明は、バーコード等のコードシンボルの読み取りに用いるコードスキャナに関する。
【背景技術】
【０００２】
スーパーマーケット等の店舗では、商品コードを用いて販売状況や在庫状況を管理することが行われている。商品コードを用いて商品管理を行う店舗では、商品コードが各商品に割り当てられ、各商品には商品コードがコードシンボル（例えば、バーコードや二次元コード）として印刷されたシールが貼り付けられ、その商品が店頭に並べられる。商品に付されたコードシンボルは、コードスキャナによって読み取られる。例えば、会計作業の中で、会計担当の店員（キャッシャ）は、コードスキャナを用いて、客の購入予定の商品に付されたコードシンボルの読み取りを行う。コードスキャナに読み取られたコードシンボルは、商品コードにデコードされて情報処理装置（例えば、ＰＯＳ装置）に向けて送信され、会計金額を算出する処理や販売された商品の情報を記憶する処理に用いられる。このようなコードスキャナには、キャッシャが一方の手で持って使用するハンディ式のものや、会計作業が行われるサッカー台の端部に取り付けられる固定式のものがある（例えば、特許文献１）。
【０００３】
コードスキャナを用いて商品に付されているコードシンボルを読み取る際、キャッシャは、商品の表面でコードシンボルが付されている部分を探し出さなくてはならない。この点について、キャッシャがハンディ式のコードスキャナを用いて会計作業を行っている場合、一方の手でコードスキャナを持ち続けているため、キャッシャは、コードスキャナを持っていない他方の手のみを使い、商品を持ち、手を捻って、商品に付されたコードシンボルを探し出さなければならない。一方、固定式のコードスキャナを用いた場合、キャッシャは商品を両手で持つことができ、商品に付されているコードシンボルを素早く探し出すことができる。
【発明の概要】
【発明が解決しようとする課題】
【０００４】
しかし、固定式のコードスキャナを用いた場合、キャッシャ等のコードスキャナの使用者は、商品を手にとって探し出し視認できたコードシンボルを、視認できた向きとは異なる向きに改めて向け直し、コードスキャナの読取部にかざさなくてはならない。このため、固定式のコードスキャナを用いたコードシンボルの読み取り作業には、時間がかかる。
【０００５】
本発明の目的は、コードスキャナを用いて商品に付されたコードシンボルを素早く読み取ることである。
【課題を解決するための手段】
【０００６】
本発明のコードスキャナは、相反する方向に第一扁平面及び第二扁平面を向けた扁平のハウジングと、前記第一扁平面を人体正面と対面させた状態で前記ハウジングを使用者の人体に装着する装着部と、前記第二扁平面に形成されている読取窓と、前記読取窓の奥における当該読取窓の中央位置に配置されて当該読取窓に対面したコードシンボルを撮像するエリア撮像素子と、前記エリア撮像素子を中心として放射状に配設され、前記読取窓に対面したコードシンボルを照明する複数の光源と、前記ハウジングの内部に収納され、データを外部に送信する送信部と、前記ハウジングの内部に収納され、前記光源を発光させながら前記エリア撮像素子が撮像したコードシンボルをデコードし、そのデコード結果を前記送信部に送信させる処理を実行する制御部と、を備える。
【発明の効果】
【０００７】
本発明によれば、コードスキャナを人体に装着した使用者が、商品を手に持って人体前方に位置付けた状態で回転しその商品に付されたコードシンボルを視認すると、そのコードシンボルは読取窓に対面することになってエリア撮像素子にセンシングされるので、コードスキャナを用いて商品に付されたコードシンボルを素早く読み取ることができる。
【図面の簡単な説明】
【０００８】
【図１】第一の実施の形態における、コードスキャナシステムの全体を示す模式図である。
【図２】コードスキャナの正面側（第二扁平面側）の外観斜視図である。
【図３】コードスキャナの背面側（第一扁平面側）の外観斜視図である。
【図４】コードスキャナの電気的構成を示すブロック図である。
【図５】キャッシャがコードスキャナを用いて商品に付されたコードシンボルの読み取りを行う手順を示す説明図である。
【図６】第二の実施の形態における、コードスキャナの背面側（第一扁平面側）の外観斜視図である。
【図７】コードスキャナの電気的構成を示すブロック図である。
【図８】第三の実施の形態における、コードスキャナの底面側の外観斜視図である。
【図９】第四の実施の形態における、使用者の人体にコードスキャナを装着した様子を示す説明図である。
【図１０】第五の実施の形態における、使用者の人体にコードスキャナを装着した様子を示す説明図である。
【発明を実施するための形態】
【０００９】
本発明の実施の一形態（第一の実施の形態）について、図１ないし図５に基づいて説明する。
【００１０】
図１は、コードスキャナシステム１０１の全体を示す模式図である。コードスキャナシステム１０１は、コードスキャナ１０２と、ＰＯＳ装置１０３を備えて構成されている。
【００１１】
店舗の売場（図示せず）には、各種の商品１０７が販売されている。この商品１０７には、予め、個々の商品を特定するための商品コードが割り当てられている。そして、売場に並べられた各商品１０７の表面には、商品コードが、バーコードや二次元コードなどのコードシンボル１０７ａの態様で付されている。例えば、コードシンボル１０７ａは、バーコードプリンタによってシールに印刷され、そのシールが商品１０７に貼り付けられることで、商品１０７の表面に付される。コードシンボル１０７ａは、コードスキャナ１０２を用いて読み取ることができる。コードスキャナ１０２は、エリア撮像素子としてのＣＣＤエリアセンサ１１６（図４参照）を備えた光学式のものであり、読み取ったコードシンボル１０７ａをデコードして、そのデコードして得られたデータを外部に無線送信する。
【００１２】
店舗には、長尺のサッカー台１０４が設置され、そこで会計作業が行われる。キャッシャ１０５（会計担当の店員）は、会計作業を行うためにサッカー台１０４の近傍で待機している。コードスキャナ１０２は、扁平形状の小型のものであり、この待機しているキャッシャ１０５の人体の正面の上半身に装着されている。
【００１３】
ＰＯＳ装置１０３は、受信部としての無線通信ユニット１０３ａと、表示部としてのディスプレイ１０３ｂと、記憶部としてのハードディスク（図示せず）とを備えて構成されている。ＰＯＳ装置１０３は、サッカー台１０４の近傍であって、無線通信ユニット１０３ａがコードスキャナ１０２から無線送信されるデータを受信できる位置に設置される。ディスプレイ１０３ｂは、サッカー台１０４の上面に、情報を表示する表示面をキャッシャ１０５と対面する向きに向けて設置されている。ディスプレイ１０３ｂの表示面には、ＰＯＳ装置１０３で行われる処理に従って各種の情報が表示される。このディスプレイ１０３ｂの表示面には、操作入力部として機能するタッチパネル（図示せず）が積層配置されている。また、ハードディスクには、商品コードに対応付けて個々の商品の名称や単価等の商品情報を記憶する商品データファイル（図示せず）や、オペレーションシステム、各種のドライバプログラムやアプリケーションプログラムが格納されている。そして、ＰＯＳ装置１０３のＣＰＵ（図示せず）は、無線通信ユニット１０３ａが商品コードを受信したことを判定した場合、これらのプログラムの記述に従って商品データファイルを参照して受信した商品コードに対応する商品情報を取得し、取得した商品情報を用いて客１０５ａが支払うべき支払金額を算出する処理や、販売された商品の商品コードを上位サーバ（図示せず）に送信する処理等の各種の処理を実行する。この一連の処理の中で、ＰＯＳ装置１０３のＣＰＵは、受信した商品コードや取得した商品情報、算出した支払金額等の各種の情報をディスプレイ１０３ｂに表示する処理も実行する。
【００１４】
ここで、店舗で行われる会計作業の流れについて説明する。客１０５ａは、購入予定の商品１０７をカゴ１０８に入れてサッカー台１０４に持ち寄り、会計通路１０９に沿って並んで待機する。会計の順番が来ると、客１０５ａは、持ち寄ったカゴをサッカー台１０４に載せる。キャッシャ１０５は、サッカー台１０４に載せられたカゴ１０８から片手もしくは両手で商品１０７を一つ取り出し、取り出した商品１０７に付されているコードシンボル１０７ａをコードスキャナ１０２の読取部１０６に近づけて、コードスキャナ１０２に読み取らせる。キャッシャ１０５は、コードシンボル１０７ａの読み取りを終えた商品１０７を、会計通路１０９の下流側に予め配置してある空のカゴ１０８ａに投入する。全ての商品１０７についてのコードシンボル１０７ａの読み取り作業を終了した場合、キャッシャ１０５は、ディスプレイ１０３ｂに積層配置されたタッチパネルをタッチ指定して、コード読取終了を宣言するための操作を行う。このタッチ指定操作により、ＰＯＳ装置１０３では客１０５ａの支払金額が確定され、ディスプレイ１０３ｂに支払金額が表示される。キャッシャ１０５は、ディスプレイ１０３ｂに表示された支払金額を客１０５ａに伝えて、客１０５ａの支払金額の支払に対応し、会計作業を終了する。決済終了後、客１０５ａは、会計済みの商品１０７が入ったカゴ１０８ａを袋詰台（図示せず）まで運んで袋詰作業を行う。キャッシャ１０５は、決済終了後に空になったカゴ１０８をカゴ１０８ａがあった位置までスライド移動させ、会計通路１０９で会計を待機している次の客１０５ｂが持ち寄った購入予定の商品１０７についての会計作業を開始する。
【００１５】
本実施の形態において重要なのは、コードスキャナ１０２の読取部１０６は、キャッシャ１０５の人体に装着された状態ではキャッシャ１０５の前方の方向に向いており、キャッシャ１０５が商品１０７を手に持って人体前方に位置付けて商品１０７に付されたコードシンボル１０７ａを視認した時点で、そのコードシンボル１０７ａは読取窓１１４（図２参照）に対面した状態となって読取部１０６から読み取られる、という点である。この点の詳細については、図５に基づいて説明する。
【００１６】
図２は、コードスキャナ１０２の正面側（第二扁平面１０２ｃ側）の外観斜視図である。図３は、コードスキャナ１０２の背面側（第一扁平面１０２ｂ側）の外観斜視図である。本実施の形態のコードスキャナ１０２は、制御部としての主制御回路１１９（図４参照）と読取部１０６と送信部としての無線送信ユニット１２１（図４参照）とを備えて構成されている。主制御回路１１９と読取部１０６と無線送信ユニット１２１とは、ハウジング１０２ａに収納される。本実施の形態のコードスキャナ１０２は、キャッシャ１０５の人体正面で頚部から腰部の間に装着された状態で使用することを前提としている。そこで、ハウジング１０２ａは、扁平形状の小型のものであり、人体に装着した状態でキャッシャ１０５の両腕の自由な動きを妨げない形状及び大きさを有している。より詳細には、本実施の形態のコードスキャナ１０２の大きさは、望ましくは、人体の掌部程度の大きさであり、最大でも人体の胸郭を覆うことができる程度の大きさ（幅寸法が両腕の付根間の寸法以下、及び、高さ寸法が鎖骨〜肋骨最下端の寸法以下）である。また、コードスキャナ１０２の厚みは、可能な限り薄いほうが良く、さらには、人体正面にフィットするよう、外側に若干の丸みを帯びている平板状態のものであれば、なおさら良い。また、コードスキャナ１０２の形状は、人体に装着した使用者が使用中にケガをしないよう、角となる部分が少ない形状、望ましくは、図２及び図３に示すように、円形の丸みを有する形状である。また、蓄電池１１７（図４参照）も含めたコードスキャナ１０２の全体の重さは、キャッシャ１０５（使用者）がコードスキャナ１０２を装着した状態で会計作業を行っても負担にならないように、極力軽くて携帯可能であることが望まれる。
【００１７】
コードスキャナ１０２のハウジング１０２ａは、概ね矩形の平板部分１１０ａを有している扁平形状のものであり、相反する方向に第一扁平面１０２ｂ及び第二扁平面１０２ｃが向いている。ハウジング１０２ａの上方部分１１０ｂは、図２及び図３に示すように、布地を挟み込むことが出来る程度の装着用空間１１１を設けて、人体正面と対面する平板部分１１０ａの一方の面（第一扁平面１０２ｂ）側のある背面方向に、１８０度折り曲げ加工されたフック構造１１２となっている。このフック構造１１２は、平板部分１１０ａの第一扁平面１０２ｂとは反対側の面（第二扁平面１０２ｃ）を、キャッシャ１０５の人体正面の方向に向けた状態でコードスキャナ１０２を装着するための、装着部として機能する。フック構造１１２の先端部分１１０ｃは、図３に示すように、先端に行くほど幅が小さくなっており、キャッシャ１０５が着ている衣服に吊り掛けやすくなっている（図１や図５参照）。また、ハウジング１０２ａの下方部分１１０ｄは、図２及び図３に示すように、第二扁平面１０２ｃに背面方向に陥没形成されている真円形状の読取窓１１４にあわせて半円形状に形成されている。読取窓１１４には、読取部１０６が外側に向けて露出して配置されている。読取部１０６は、光源としてのＬＥＤランプ１１３と、エリア撮像素子としてのＣＣＤエリアセンサ１１６とを備えて構成されている。ＣＣＤエリアセンサ１１６は、読取窓１１４の底面でその中央位置に配設されている。ＬＥＤランプ１１３は、読取窓１１４の底面で正面方向に光を放射できる向きに複数取り付けられている。このＬＥＤランプ１１３は、図２に示すように、３個一組のランプ列がＣＣＤエリアセンサ１１６を中心として等間隔に８列放射状に並んで配設されている。なお、ＬＥＤランプ１１３は３個８列計２４個に限られることは無く、より多くのＬＥＤランプ１１３を配設させてコードシンボル１０７ａを明るく照射することができるようにしてもよい。そして、読取窓１１４には、これらのＬＥＤランプ１１３及びＣＣＤエリアセンサ１１６を覆って保護するように、透明の保護部材１１５が嵌め込まれている。
【００１８】
ハウジング１０２ａの内部には、無線送信ユニット１２１や主制御回路１１９（どちらも図４参照）などの各部が収納されている。読取部１０６を除くこれらの各部は、ハウジング１０２ａによって隠蔽されていることが好ましい。
【００１９】
また、ハウジング１０２ａの第二扁平面１０２ｃには、スライド式のスイッチ１１８も設けられており、コードスキャナ１０２の各部への給電のオン／オフを切り替えることができる。
【００２０】
図４は、コードスキャナ１０２の電気的構成を示すブロック図である。コードスキャナ１０２は、各部に電力供給をする蓄電池１１７を内蔵している。蓄電池１１７は、コードスキャナ１０２を充電置台（図示せず）に保持させることで充電されるようになっている。
【００２１】
コードスキャナ１０２は、演算処理を実行し各部の駆動制御を行う制御部としての主制御回路１１９を備えている。主制御回路１１９には、メモリ１２０が接続されている。メモリ１２０は、データを書き換え自在に記憶し、主制御回路１１９のワークエリアとして利用される。
【００２２】
主制御回路１１９は、スイッチ１１８と、送信部としての無線送信ユニット１２１とに接続している。また、主制御回路１１９は、ＬＥＤランプ１１３を制御するＬＥＤ制御回路１１３ａと、ＣＣＤエリアセンサ１１６の電圧変化をデジタル値として出力するＡ／Ｄ変換回路１１６ａとに接続している。ここで、ＬＥＤランプ１１３とＣＣＤエリアセンサ１１６とは、読取部１０６を構成している。また、ＬＥＤ制御回路１１３ａとＡ／Ｄ変換回路１１６ａとは、制御部の一部を構成している。
【００２３】
スイッチ１１８がオンになると、蓄電池１１７からコードスキャナ１０２の各部に、電力が供給される。電力供給がなされると、主制御回路１１９は、ＬＥＤ制御回路１１３ａを制御してＬＥＤランプ１１３を発光する。ＬＥＤランプ１１３から放射された光は、商品１０７に付されたコードシンボル１０７ａに反射してＣＣＤエリアセンサ１１６に入射される。Ａ／Ｄ変換回路１１６ａは、ＣＣＤエリアセンサ１１６で生じた電圧に基づくデジタル信号を主制御回路１１９に入力する。主制御回路１１９は、入力されたデジタル信号に基づく商品コードを求める。つまり、ＣＣＤエリアセンサ１１６でセンシングされたコードシンボル１０７ａは、Ａ／Ｄ変換回路１１６ａと主制御回路１１９とによって商品コードに復元される。主制御回路１１９は、復元した商品コードを無線通信ユニット１０３ａに無線信号として出力させる。無線送信ユニット１２１から出力された無線信号は、ＰＯＳ装置１０３の無線通信ユニット１０３ａで受信されると、無線信号を商品コードに復元し、その復元した商品コードをＰＯＳ装置１０３で行われる各種の処理に用いられる。
【００２４】
図５は、キャッシャ１０５がコードスキャナ１０２を用いて商品１０７に付されたコードシンボル１０７ａの読み取りを行う手順を示す説明図である。図５（ａ）〜（ｄ）に示すように、装着用空間１１１にキャッシャ１０５の衣服を挟み込み、フック構造１１２を衣服に吊り掛けることで、キャッシャ１０５の上半身の正面にコードスキャナ１０２を装着することができる。このとき、コードスキャナ１０２の読取部１０６は、キャッシャ１０５の前方を向いた状態となる。
【００２５】
キャッシャ１０５は、衣服にコードスキャナ１０２を装着し、スイッチ１１８をオンにしてＬＥＤランプ１１３に光を放射させている状態で、まず、サッカー台１０４に載せられたカゴ１０８から客１０５ａの購入予定の商品１０７を取り出す（図５（ａ））。
【００２６】
続いて、キャッシャ１０５は、手に持った商品１０７を回転しながら商品１０７の表面をくまなく見回して、商品１０７に付されているコードシンボル１０７ａを探し出す（図５（ｂ））。このとき、キャッシャ１０５は、手に持った商品１０７を胸部前方に位置付けて回転し、コードシンボル１０７ａを探すことになる。この間、読取部１０６のＬＥＤランプ１１３から放射される光は、商品１０７の表面で反射し、読取部１０６のＣＣＤエリアセンサ１１６に入射される。すなわち、キャッシャ１０５が手にとって眺めている商品１０７の表面は、キャッシャ１０５に視認されるとともに、読取部１０６のＣＣＤエリアセンサ１１６にセンシングされることになる（図５（ｃ））。センシングされたコードシンボル１０７ａは、デコードされて商品コードに復元され、無線信号としてＰＯＳ装置１０３に送信される。ＰＯＳ装置１０３の無線通信ユニット１０３ａ（図４参照）で商品コードが受信されると、ＰＯＳ装置１０３のＣＰＵ（図示せず）は、その商品コードを、支払金額を算出する処理等に用いる。それらの処理の結果、ディスプレイ１０３ｂには、キャッシャ１０５がコードスキャナ１０２に読み取らせた商品１０７の商品コードや、その商品に関する商品情報、算出した支払金額等の各種の情報が表示される。
【００２７】
続いて、キャッシャ１０５は、ディスプレイ１０３ｂを見て商品コードがＰＯＳ装置１０３に入力されたことを確認した上で、コードシンボル１０７ａの読み取りを終えた商品１０７をカゴ１０８ａに投入する（図５（ｄ））。
【００２８】
キャッシャ１０５は、会計作業において、図５（ａ）〜（ｄ）に基づいて説明した一連の手順を、カゴ１０８に投入された客１０５ａの購入予定の商品１０７すべてについて行う。この手順の中で、キャッシャ１０５は、コードシンボル１０７ａを人体前方に位置付けて視認した商品１０７について、固定式のコードスキャナを用いた場合のように改めて商品の向きを変えてＣＣＤエリアセンサ１１６にコードシンボル１０７ａをセンシングさせる必要がない。結果として、会計作業においてキャッシャ１０５は、少ない動作で読み取り操作を完了することができる。
【００２９】
このように、本実施の形態のコードスキャナ１０２によれば、コードスキャナ１０２を人体の上半身に装着することができ、装着したキャッシャ１０５が、商品１０７を手に持って人体前方に位置付けた状態で回転しその商品１０７に付されたコードシンボル１０７ａを視認すると、そのコードシンボル１０７ａは読取窓１１４（図２参照）に対面することになってＣＣＤエリアセンサ１１６にセンシングされるので、コードスキャナ１０２を用いて商品１０７に付されたコードシンボル１０７ａを素早く読み取ることができる。
【００３０】
次に、本発明の別の実施の形態（第二の実施の形態）について図６及び図７に基づいて説明する。なお、前述した第一の実施の形態と同一の部分は同一の符号で示し説明も省略する。
【００３１】
図６は、コードスキャナ１０２の背面側（第一扁平面１０２ｂ側）の外観斜視図である。図７は、コードスキャナ１０２の電気的構成を示すブロック図である。本実施の形態のコードスキャナ１０２は、接続用コードを介してコードスキャナ１０２とＰＯＳ装置１０３を接続し、有線通信によって商品コードをＰＯＳ装置１０３に送信する方式のものである。このため、本実施の形態のコードスキャナ１０２には、無線送信ユニット１２１ではなく、ＰＯＳ装置１０３との通信を行うための送信部としての通信インタフェイス１２２が備わっている。この通信インタフェイス１２２からは、接続用コード１２３が延出している。この接続用コード１２３は、給電線も備わっている。そして、接続用コード１２３の先端にはコネクタ１２４が取り付けられている。コネクタ１２４は、ＰＯＳ装置１０３に備わる通信インタフェイス１０３ｄの接続部１０３ｃに接続することができる形状を有している。このような接続用コード１２３を用いてコードスキャナ１０２とＰＯＳ装置１０３とを接続すると、コードスキャナ１０２にはＰＯＳ装置１０３から給電がなされ、主制御回路１１９が駆動することになる。この場合、第一の実施の形態のように、スイッチ１１８を設けてスイッチ１１８のオン／オフによって給電されるようにしてもよいし、スイッチ１１８を設けずに接続用コード１２３が接続されるのと同時に給電されるようにしてもよい。なお、このような接続用コード１２３やコネクタ１２４としては、ＵＳＢ規格のものを採用することができる。
【００３２】
本実施の形態のコードスキャナ１０２によっても、コードスキャナ１０２を人体の上半身に装着することができ、装着したキャッシャ１０５が商品１０７を手に持って人体前方に位置付けた状態で回転しその商品１０７に付されたコードシンボル１０７ａを視認すると、そのコードシンボル１０７ａは読取窓１１４に対面してＣＣＤエリアセンサ１１６にセンシングされるので、コードスキャナ１０２を用いて商品１０７に付されたコードシンボル１０７ａを素早く読み取ることができる。また、本実施の形態のコードスキャナ１０２によれば、蓄電池を備える必要がなく、コードスキャナ１０２全体の重量が軽くなって、コードスキャナ１０２を人体に装着した状態で会計作業を行うキャッシャ１０５の体力的な負担が減少する。
【００３３】
なお、本発明のさらなる別の実施の形態（第三の実施の形態）として、図８に示すように、コードスキャナ１０２のハウジング１０２ａの下端面にコード接続部１２５を設けて、このコード接続部１２５に接続用コード１２３を接続することで、コードスキャナ１０２がＰＯＳ装置１０３に対して商品コードを有線送信できるようにしてもよい。
【００３４】
また、本発明のさらなる別の実施の形態（第四の実施の形態）として、図９に示すように、コードスキャナ１０２のハウジング１０２ａに装着部としてのベルト１２６を取り付けて、キャッシャ１０５の胴回り（例えば、腰回り）に巻き付けてコードスキャナ１０２をキャッシャ１０５の人体に装着できるようにしてもよい。
【００３５】
また、本発明のさらなる別の実施の形態（第五の実施の形態）として、図１０に示すように、コードスキャナ１０２のハウジング１０２ａに装着部としてのネックバンド１２７を取り付けて、キャッシャ１０５の首からぶら下げてコードスキャナ１０２をキャッシャ１０５の人体に装着できるようにしてもよい。
【符号の説明】
【００３６】
１０２…コードスキャナ、１０２ａ…ハウジング、１０２ｂ…第一扁平面、１０２ｃ…第二扁平面、１０５…キャッシャ（使用者）、１０６…読取部、１０７ａ…コードシンボル、１１０ａ…平板部分、１１２…フック構造（装着部）、１１３…ＬＥＤランプ（光源）、１１３ａ…ＬＥＤ制御回路（制御部）、１１４…読取窓、１１６…ＣＣＤエリアセンサ（エリア撮像素子）、１１６ａ…Ａ／Ｄ変換回路（制御部）、１１９…主制御回路（制御部）、１２１…無線送信ユニット（送信部）、１２６…ベルト（装着部）、１２７…ネックバンド（装着部）
【先行技術文献】
【特許文献】
【００３７】
【特許文献１】特開平１１−３５３４０８号公報
【図１】
2010238258.tif 000003
【図２】
2010238258.tif 000004
【図３】
2010238258.tif 000005
【図４】
2010238258.tif 000006
【図５】
2010238258.tif 000007
【図６】
2010238258.tif 000008
【図７】
2010238258.tif 000009
【図８】
2010238258.tif 000010
【図９】
2010238258.tif 000011
【図１０】
2010238258.tif 000012